(57)【要約】　　　（修正有）【課題】水道代等のコストダウンに寄与するため台所洗浄水を再利用する。【解決手段】蛇口１８の下に脱着可能な吸盤７を設け、該吸盤に野菜等の洗い水を直接受けるジョウゴ型の受け皿本体１を支持棒本体１０を介して取り付けることによって、受け皿本体に装着した蛇腹ホース１３で台所の床面に設置した容器１４に流出できる台所洗浄水の再利用受け皿器具を提供するものである。【選択図】図１
0003097051.tif 000002
【実用新案登録請求の範囲】
【請求項１】
支持穴部８を有する吸盤７と、該吸盤７の支持穴部８に脱着勘合する支持棒先端部９を有する支持棒本体１０と、該支持棒本体１０の端部と勘合する凸状挿入部４を一端に設け、他端には把手５とを有し、内部に設けた注入穴２の上に脱着可能なアミ３を設けてある受け皿部本体１と、該受け皿部本体１の底部に取り付けられる蛇腹ホース１３とから構成されることを特徴とする台所洗浄水の再利用受け皿器具。
【請求項２】
前記支持棒本体１０は、支持棒先端部９と本体内部を伸縮する伸縮部１１とから構成され、前記先端部９はＬ字状であって吸盤７の支持穴部８に脱着勘合することを特徴とする請求項１記載の台所洗浄水の再利用受け皿器具。
【考案の詳細な説明】
【０００１】
【考案の属する技術分野】
本考案は、台所で使用する洗浄水の再利用可能な器具に関し、さらに詳しくは、脱着可能な支持棒に支持され、洗浄水を受けるジョウゴ型の受け皿部を利用することによって、野菜等の洗浄水を台所の排水として流出することなく、足元に置いた容器に蛇腹ホースを介して、直接流し込むことができる新規な台所洗浄水の再利用受け皿器具を提供するものである。
【０００２】
【従来技術】
従来、ガーディング等に使う水は通常の水道水を利用していたため水道代が高くなり、その代わりとして米のとぎ汁等を足元のバケツに移す作業を行っていた。この作業は、腰を何回も曲げるため、結構面倒であり、またバケツの回りは水がこぼれるため雑巾で拭き取らなければならないという余分な仕事があった。
【０００３】
この場合、米のとぎ汁だけでも１回分で約１０リットル、朝、夕の２回とけば１日約２０リットル捨てていた。また、米のとぎ汁は台所でそのまま流すと浄化するのに大量の水を必要とするが、草花にとっては栄養豊富な肥料となり、一方では、米のとぎ汁を台所で流さない事で環境にも優しく一石二鳥の効果を有している。ただし、鉢植えの草花には目詰まりする場合もあるので、与えすぎには注意を要する。
【０００４】
【考案が解決しようとする課題】
上記のように、従来の台所での洗浄水は、ほとんどが直接台所排水として下水の流されており、ガーディング等の水は別途新しい水を散水ホースから大量に使用するために、水道代が高く付いていた。
【０００５】
【課題を解決するための手段】
係る課題を解決するために、本考案者は台所の洗浄水を別途受けながら足元に置いた容器に流入できる新規な台所洗浄水の再利用受け皿器具を考案した。
【０００６】
すなわち本考案の第一は、支持穴部８を有する吸盤７と、該吸盤７の支持穴部８に脱着勘合する支持棒先端部９を有する支持棒本体１０と、該支持棒本体１０の端部と勘合する凸状挿入部４を一端に設け、他端には把手５とを有し、内部に設けた注入穴２の上に脱着可能なアミ３を設けてある受け皿部本体１と、該受け皿部本体１の底部に取り付けられる蛇腹ホース１３とから構成されることを特徴とする台所洗浄水の再利用受け皿器具である。
【０００７】
本考案の第二は、前記支持棒本体１０は、支持棒先端部９と本体内部を伸縮する伸縮部１１とから構成され、前記先端部９はＬ字状であって吸盤７の支持穴部８に脱着勘合することを特徴とする請求項１記載の台所洗浄水の再利用受け皿器具である。
【０００８】
【考案の実施の形態】
図１は、本考案の器具の利用状況を示す説明図である。本考案の器具は、水道の蛇口１８下にジョウゴ型の受け皿本体１の下部に蛇腹ホース１３が約１ｃｍ位の高さを有する受け皿本体の口先部６に取り付けられている。
【０００９】
このジョウゴ型受け皿部本体１の端部には、図２に示すように支持棒本体１０に脱着可能に取り付け可能な凸状挿入部４と不使用時にフック等にかけておく把手５とを両端に設けてあり、さらに該本体中央部には約２ｃｍ径以上の注入穴２を設け、その穴の上部には取り返し可能なアミ３を設置している。
【００１０】
上記ジョウゴ型受け皿部本体１は、両端部に凸状挿入部４と把手５とを設けるように一体成形した物を使用することが構造上好ましい。
【００１１】
一方、壁１６内部から台所１５上部に配置される水道の蛇口１６の下には、図３に示されるように支持棒受け部８を有する吸盤７を脱着可能に固着し、該吸盤７には支持棒本体１０に予め固定されているＬ字状の先端部９を支持穴８に嵌合して左右に動かせるようにしており、また支持棒本体１０内部には、伸縮部１１が水道の蛇口の長さに応じて伸縮できるように内包されている二重構造となっている。
【００１２】
前記ジョウゴ型受け皿本体１の端部に設けた凸状挿入部４は、前記支持棒本体１０に内包される伸縮部１１の凹状穴部１２と嵌合する構造となっており、この嵌合作業を行うと蛇腹ホース１３を取り付けてあるジョウゴ型受け皿部本体１が、吸盤７と支持棒本体１０の作用で固定されて水道蛇口の下に位置することになり、ジョウゴ型受け皿本体１の上で野菜等を洗浄した水は、蛇腹ホース先端を入れた受け容器１４の中に流入する。
【００１３】
なお図４に把手５の形状を変えた受皿本体１と、該本体の口先部６に装着される蛇腹ホース１３とを示したが、この蛇腹ホースの装着は図４に示すように縦型に装着するばかりでなく、台所と水道蛇口の縦幅が少ない場合には、蛇腹ホースの横面に受皿本体の口先部６が装着される形状の方が好ましい。
【００１４】
図５は、ジョウゴ型受け皿本体１の端部に設けた凸状挿入部４の別な形態を示す斜視図である。前記凸状挿入部４は、一端が凸状挿入部本体１９に取り付けられている弾性バネ２０を有し、この凸状挿入部４は支持棒本体１０端部に装着するものであるが、支持棒本体２２端部近傍に凹状受け部２３を設けてあるため、凸状挿入部４が支持棒本体２２内部に装着されると弾性バネ２０の押さえ部２１は凹状受け部２２の下方から上方にでて、弾性バネが支持棒本体２２内部でクッションの働きをなして固定を安定させる構造となっている。
【００１５】
【考案の効果】
毎日ガーディングに使う水として水道水を利用していたが、台所で使う洗い水を流しながら足元の容器に移すことによって水道代の節約をすることができた。
【００１６】
野菜の洗い水や米のとぎ汁等の洗浄水は花卉に与える水であるため、泥が含まれる水であっても花自体に害が無ければ使用が可能であり、また洗剤を使った食器のゆすぎ水等は庭や道路のほこり防止のみずまき用として使えるなど、洗浄水の種類によって再利用できる用途は色々と対処できるものである。
【００１７】
ジョウゴ型受け皿部本体１から蛇腹ホース１３を介して足元の容器１４に直接水が流入するので、床を汚すことが無くなる。
【００１８】
従来のように腰を曲げずに足元の容器に移すことができるので、作業が楽であると共に腰痛等の防止になっている。
【００１９】
ジョウゴ型受け皿部本体１の内部に、取り外し可能なアミ３を取り付けているので野菜のくず等がホースにつまらないようになっている。
【００２０】
本考案器具の不使用時には、支持棒本体１０と蛇腹ホース付きジョウゴ型受け皿本体１とを分離することができるので、コンパクトに収納することができるものである。
【図面の簡単な説明】
【図１】本考案器具の利用状況を示す説明図である。
【図２】ジョウゴ型受け皿部本体を示す平面図である。
【図３】吸盤及び支持棒を取り付けた状態を示す部分拡大図である。
【図４】ジョウゴ型受け皿部本体及び蛇腹ホースを示す正面図である。
【図５】本考案器具における凸状挿入部の別な形態を示す斜視図である。
【符号の説明】
１・・・受け皿本体
２・・・注入穴
３・・・アミ
４・・・凸状挿入部
５・・・把手
６・・・受け皿本体の口先部
７・・・吸盤
８・・・支持穴
９・・・支持棒先端部
１０・・支持棒本体
１１・・支持棒伸縮部
１２・・凹状受け部
１３・・蛇腹ホース
１４・・容器
１５・・台所
１６・・壁
１７・・床
１８・・蛇口
１９・・凸状挿入部
２０・・弾性バネ
２１・・弾性バネ押さえ部
２２・・支持棒本体
２３・・凹状受け部
【図１】
0003097051.tif 000003
【図２】
0003097051.tif 000004
【図３】
0003097051.tif 000005
【図４】
0003097051.tif 000006
【図５】
0003097051.tif 000007